(57)【特許請求の範囲】
【請求項１】
シートクッション側に固着された固定部材及びシートバック側に固着され前記固定部材に回動自在に支持された回動部材を有し、前記固定部材に対する前記回動部材の回動を規制するロック状態及び許容するロック解除状態に切替自在なリクライニングユニットと、
前記固定部材と同心で該固定部材に回動自在に支持された伝達レバーと、
ロック操作位置及びロック解除操作位置の間で前記シートクッション側に回動自在に支持された解除操作レバーと、
突部を有し、両端部が前記伝達レバー及び前記解除操作レバーにそれぞれ回動自在に支持され、前記解除操作レバーの前記ロック操作位置から前記ロック解除操作位置への回動に伴い前記伝達レバーを介して前記リクライニングユニットを前記ロック状態から前記ロック解除状態に切り替えるリンクと、
前記シートバック側に一体回動するように連結され、前記回動部材の軸線を中心とする周方向に延びるとともに前記シートクッションに対する前記シートバックの回動位置がロック解除保持領域に到達することで前記解除操作レバーが前記ロック解除操作位置にあるときの前記突部を乗り上げさせるロック解除保持部を有する保持プレートとを備えた、シートリクライニング装置。
【請求項２】
請求項１に記載のシートリクライニング装置において、
前記保持プレートは、前記回動部材に直に固着された、シートリクライニング装置。
【請求項３】
請求項１又は２に記載のシートリクライニング装置において、
前記解除操作レバー及び前記リンクの端部は、
前記解除操作レバーに突設された係合凸部と、
前記リンクに形成され前記係合凸部が挿入された係合凹部であって、前記解除操作レバーの前記ロック解除操作位置への回動に伴い前記リンク及び前記伝達レバーを介して前記リクライニングユニットが前記ロック解除状態へと切り替わるように前記係合凸部に押圧され、前記リンク及び前記伝達レバーと共に前記リクライニングユニットが前記ロック解除状態にあるときに前記解除操作レバーの前記ロック操作位置への回動を許容するように前記係合凸部の移動を許容する係合凹部とで回動自在に支持された、シートリクライニング装置。
【請求項４】
請求項１〜３のいずれか一項に記載のシートリクライニング装置において、
前記固定部材及び前記回動部材は、前記シートクッション側としてのクッションサイドフレーム及び前記シートバック側としてのバックサイドフレームにそれぞれ固着されており、
前記保持プレートは、シートの幅方向において前記バックサイドフレームよりも前記クッションサイドフレームに近い側で前記回動部材に固着された、シートリクライニング装置。
【請求項５】
請求項１〜４のいずれか一項に記載のシートリクライニング装置において、
前記保持プレートは、前記ロック解除保持部に乗り上げた前記突部が前記ロック解除保持部を進行するに従い前記リクライニングユニットの解除ストロークを漸増する解除ストローク調整範囲を有した、シートリクライニング装置。
【発明の詳細な説明】
【技術分野】
【０００１】
本発明は、シートリクライニング装置に関するものである。
【背景技術】
【０００２】
従来、シートリクライニング装置としては、例えば特許文献１に記載されたものが知られている。このシートリクライニング装置は、クッションフレーム（クッション側アーム）及びバックフレーム（バック側アーム）の間に介設されたリクライニングユニットを備える。このリクライニングユニットは、シートバックが起立状態と最後傾状態との間であるリクライニングロック範囲を占めるときは任意の角度でロックあるいはロック解除でき、起立状態と前倒し状態との間である非ロック範囲を占めるときはフリー回動する。また、シートリクライニング装置は、リクライニングユニットをロック状態からロック解除状態に切替操作するためのロック解除レバーを備える。さらに、シートリクライニング装置は、ロック解除レバーをロック解除する方向へ回動させたときに該ロック解除レバーの回動方向とは反対方向へ回動するようにロック解除レバーに長孔及びピンを介して連結されてロック解除レバーがロック方向へ回動するのを拘束する拘束レバーを備える。さらにまた、シートリクライニング装置は、バックフレームに設けられ、拘束レバーを押圧する押圧部を備える。
【０００３】
このような構成にあって、ロック解除レバーのロック解除操作に伴い拘束レバーがロック解除位置を占めた状態で、シートバックを前倒しすると、押圧部が拘束レバーを押圧することにより該拘束レバーと共にロック解除レバーがロック解除位置に保持され、リクライニングユニットのロック解除が継続維持される。
【先行技術文献】
【特許文献】
【０００４】
【特許文献１】特開２００７−３０７１８２号公報
【発明の概要】
【発明が解決しようとする課題】
【０００５】
ところで、特許文献１では、シートバックの前倒し状態で押圧部が拘束レバーを保持（押圧）することによってロック解除レバーをロック解除位置に保持している。この場合、シートバックを前倒し状態から起立させようとすると、押圧部から解放された拘束レバーと共にロック解除レバーがロック位置に向かって回動しようとする。このとき、シートバックの前倒し状態がリクライニングユニットの非ロック範囲を占めていることで、ロック解除レバーがロック解除位置に保持される。換言すれば、シートバックの前倒し状態が非ロック範囲を占めるリクライニングユニットを採用する必要があり、設計の自由度が損なわれることになっている。
【０００６】
本発明の目的は、設計の自由度をより向上させることができるシートリクライニング装置を提供することにある。
【課題を解決するための手段】
【０００７】
上記課題を解決するシートリクライニング装置は、シートクッション側に固着された固定部材及びシートバック側に固着され前記固定部材に回動自在に支持された回動部材を有し、前記固定部材に対する前記回動部材の回動を規制するロック状態及び許容するロック解除状態に切替自在なリクライニングユニットと、前記固定部材と同心で該固定部材に回動自在に支持された伝達レバーと、ロック操作位置及びロック解除操作位置の間で前記シートクッション側に回動自在に支持された解除操作レバーと、突部を有し、両端部が前記伝達レバー及び前記解除操作レバーにそれぞれ回動自在に支持され、前記解除操作レバーの前記ロック操作位置から前記ロック解除操作位置への回動に伴い前記伝達レバーを介して前記リクライニングユニットを前記ロック状態から前記ロック解除状態に切り替えるリンクと、前記シートバック側に一体回動するように連結され、前記回動部材の軸線を中心とする周方向に延びるとともに前記シートクッションに対する前記シートバックの回動位置がロック解除保持領域に到達することで前記解除操作レバーが前記ロック解除操作位置にあるときの前記突部を乗り上げさせるロック解除保持部を有する保持プレートとを備える。
【０００８】
この構成によれば、前記リクライニングユニットが前記ロック状態にあるとき、前記解除操作レバーを前記ロック操作位置から前記ロック解除操作位置へと回動させることで、前記リンク及び前記伝達レバーを介して前記リクライニングユニットが前記ロック解除状態へと切り替わる。これにより、前記シートクッションに対する前記シートバックの回動位置、即ちシートバックの傾斜角度が調整可能となる。また、このとき、前記シートクッションに対する前記シートバックの回動位置が前記ロック解除保持領域に到達すると、前記ロック解除保持部が前記突部を乗り上げさせることで、前記シートバックの回動に関わらず前記リンクが前記伝達レバーと共に前記シートクッションに対する姿勢を維持する。つまり、前記シートバックを前倒し状態から起立させても、前記シートクッションに対する前記シートバックの回動位置が前記ロック解除保持領域にある限り、前記リクライニングユニットは前記ロック解除状態を維持する。このように、前記リクライニングユニットの仕様に依存することなく、前記保持プレートによる前記ロック解除保持領域の設定によって前記リクライニングユニットを前記ロック解除状態に維持させることができ、設計の自由度の向上が可能となる。
【０００９】
上記シートリクライニング装置について、前記保持プレートは、前記回動部材に直に固着されることが好ましい。
この構成によれば、前記保持プレートは、前記回動部材（リクライニングユニット）に集約配置されることで、装置全体としてよりコンパクト化することができる。
【００１０】
上記シートリクライニング装置について、前記解除操作レバー及び前記リンクの端部は、前記解除操作レバーに突設された係合凸部と、前記リンクに形成され前記係合凸部が挿入された係合凹部であって、前記解除操作レバーの前記ロック解除操作位置への回動に伴い前記リンク及び前記伝達レバーを介して前記リクライニングユニットが前記ロック解除状態へと切り替わるように前記係合凸部に押圧され、前記リンク及び前記伝達レバーと共に前記リクライニングユニットが前記ロック解除状態にあるときに前記解除操作レバーの前記ロック操作位置への回動を許容するように前記係合凸部の移動を許容する係合凹部とで回動自在に支持されることが好ましい。
【００１１】
この構成によれば、例えば前記シートクッションに対する前記シートバックの回動位置が前記ロック解除保持領域にあったとしても、前記解除操作レバーは、前記係合凹部内で前記係合凸部を移動させつつ、前記ロック操作位置への回動が可能である。従って、例えば前記解除操作レバーが外力の影響を受けて前記ロック解除操作位置から前記ロック操作位置に向かって回動したとしても、これに連動して前記リクライニングユニットがロック状態に切り替わることを抑制できる。
【００１２】
上記シートリクライニング装置について、前記固定部材及び前記回動部材は、前記シートクッション側としてのクッションサイドフレーム及び前記シートバック側としてのバックサイドフレームにそれぞれ固着されており、前記保持プレートは、シートの幅方向において前記バックサイドフレームよりも前記クッションサイドフレームに近い側で前記回動部材に固着されることが好ましい。
【００１３】
この構成によれば、前記保持プレートは、前記バックサイドフレームよりも前記クッションサイドフレームに近い側に配置されることで、装置全体としてよりコンパクト化することができる。
上記シートリクライニング装置について、前記保持プレートは、前記ロック解除保持部に乗り上げた前記突部が前記ロック解除保持部を進行するに従い前記リクライニングユニットの解除ストロークを漸増する解除ストローク調整範囲を有することが好ましい。
【００１４】
この構成によれば、前記解除ストローク調整範囲により、前記ロック解除保持部に乗り上げた前記突部が前記ロック解除保持部を進行するに従い前記解除ストロークが漸増されることで、前記リクライニングユニットの前記ロック解除状態をより安定的に維持できる。
【発明の効果】
【００１５】
本発明は、設計の自由度をより向上できる効果がある。
【図面の簡単な説明】
【００１６】
【図１】シートリクライニング装置の一実施形態が適用されるシートの側面図。
【図２】同実施形態のシートリクライニング装置についてその構造を示す分解斜視図。
【図３】（ａ）、（ｂ）は、同実施形態のシートリクライニング装置についてその構造を示す側面図及び断面図。
【図４】同実施形態のシートリクライニング装置についてその動作を示す側面図。
【図５】同実施形態のシートリクライニング装置についてその動作を示す側面図。
【図６】同実施形態のシートリクライニング装置についてその動作を示す側面図。
【図７】同実施形態のシートリクライニング装置についてその動作を示す側面図。
【図８】変形形態のシートリクライニング装置についてその構造を示す側面図。
【発明を実施するための形態】
【００１７】
以下、シートリクライニング装置の一実施形態について説明する。なお、以下では、シートの前後方向を「前後方向」という。また、シートの幅方向における内側及び外側をそれぞれ「内側」及び「外側」という。
【００１８】
図１に示すように、車両フロア１には、乗員の着座部を形成するシート２が設置されている。このシート２は、座面を形成するシートクッション３と、該シートクッション３の後端部に略円盤状のリクライニングユニット２０を介して中心線Ｏ１の周りを傾動（回動）自在に支持されたシートバック４とを備えて構成される。そして、シートクッション３に対するシートバック４の傾斜角度は、シートバック４が前方に略沿うように延びる前倒し位置から後方に略沿うように延びる大倒し位置までの範囲に機械的に制限されている。また、シートクッション３に対するシートバック４の傾斜角度の範囲は、前倒し位置を含む前方寄りのロック解除保持領域と、大倒し位置を含む後方寄りの調整領域とに二分されている。
【００１９】
本実施形態では、前倒し位置から大倒し位置までの範囲が略１８０°に設定されており、そのうちの調整領域が１２０°を若干下回るように設定されている。ロック解除保持領域では、シートクッション３に対するシートバック４の回動が可能な状態にリクライニングユニット２０が保持されている。調整領域では、シートバック４の傾斜角度がリクライニングユニット２０によって所定角度ごとに多段階で調整・保持可能となっている。
【００２０】
図２及び図３（ａ）、（ｂ）に示すように、リクライニングユニット２０は、シートクッション３の側部後部の骨格をなすクッションサイドフレーム１１と、シートバック４の側部下部の骨格をなすバックサイドフレーム１２との間に介設されている。バックサイドフレーム１２は、クッションサイドフレーム１１の内側に配置されている。
【００２１】
クッションサイドフレーム１１は、例えば金属板からなり、上方に向かって突出する略円弧板状の連結部１１ａを有するとともに、該連結部１１ａの中心（中心線Ｏ１）を中心とする径方向に前方及び後方に向かって突出する前方規制片１１ｂ及び後方規制片１１ｃを有する。一方、バックサイドフレーム１２は、例えば金属板からなり、クッションサイドフレーム１１に向かって突出する略円弧板状の連結部１２ａを有するとともに、該連結部１２ａの上方でその中心（中心線Ｏ１）を中心とする周方向に延在する規制片１２ｂを有する。
【００２２】
リクライニングユニット２０は、連結部１１ａと略同心でクッションサイドフレーム１１に固着された固定部材としての略円盤状の第１ディスク２１と、連結部１２ａと略同心でバックサイドフレーム１２に固着された回動部材としての略円盤状の第２ディスク２２とを備える。第２ディスク２２は、第１ディスク２１に軸支された状態で軸線方向に抜け止めされている。これにより、バックサイドフレーム１２がリクライニングユニット２０を介してクッションサイドフレーム１１に回動自在に支持される。このとき、規制片１２ｂは、連結部１１ａ及びリクライニングユニット２０よりも外周側に位置しており、その中心線Ｏ１周りの回動軌跡上に前方規制片１１ｂ及び後方規制片１１ｃが位置する。つまり、シートバック４の前倒れに伴い規制片１２ｂが前方規制片１１ｂに当接する位置が前倒し位置に一致し、シートバック４の後倒れに伴い規制片１２ｂが後方規制片１１ｃに当接する位置が大倒し位置に一致する。
【００２３】
クッションサイドフレーム１１、バックサイドフレーム１２及びリクライニングユニット２０には、中心線Ｏ１に沿って軸線の延びる段付き略柱状の操作軸３１が貫通する。この操作軸３１は、第１ディスク２１に収容されたカム（図示略）と一体回動するように連結されている。このカムは、例えば中心線Ｏ１を中心とする径方向に移動自在に第１ディスク２１に収容されたポール（図示略）に連結されており、回動に伴いポールを進退作動させる。リクライニングユニット２０は、中心線Ｏ１を中心とするポールの径方向への進行に伴い第２ディスク２２に形成された内歯車２２ａと噛合することで、第１及び第２ディスク２１，２２の相対回動、即ちクッションサイドフレーム１１に対するバックサイドフレーム１２の回動を規制する（ロック状態）。一方、リクライニングユニット２０は、中心線Ｏ１を中心とするポールの径方向への退行に伴い内歯車２２ａとの噛合が外れることで、第１及び第２ディスク２１，２２の相対回動、即ちクッションサイドフレーム１１に対するバックサイドフレーム１２の回動を許容する（ロック解除状態）。なお、リクライニングユニット２０は、第１ディスク２１及びカムの間に介装される復帰スプリング２３を備えており、該復帰スプリング２３の付勢力により通常はロック状態に保持されている。
【００２４】
クッションサイドフレーム１１の上端部には、その外側面において例えば金属板からなるブラケット３２が接合されている。また、操作軸３１のクッションサイドフレーム１１を回動自在に貫通する外側の先端部は、例えば金属板からなる伝達レバー３３に一体回動するように嵌挿されている。この伝達レバー３３は、中心線Ｏ１を中心とする後方寄りの径方向に延出するレバー凸片３３ａを有する。また、操作軸３１の伝達レバー３３を更に貫通する外側の先端部には、例えば捩りコイルスプリングからなる復帰スプリング３４が巻回されている。この復帰スプリング３４の両端末は、操作軸３１及びブラケット３２にそれぞれ掛止されており、該復帰スプリング３４の付勢力によりロック状態に相当する回動位置に操作軸３１及び伝達レバー３３等が保持されている。換言すれば、復帰スプリング３４は、ロック状態において、カムに対し操作軸３１に遊びが生じないようにこれを付勢する。なお、伝達レバー３３が回動すると、これに連動して操作軸３１及びカムが回動することはいうまでもない。本実施形態では、伝達レバー３３（及びカム）が図３（ａ）に示す回動位置から図示時計回りに回動することで、リクライニングユニット２０が前述のロック状態からロック解除状態に切り替わるようになっている。
【００２５】
伝達レバー３３の下方となるクッションサイドフレーム１１の下端部には、中心線Ｏ１と平行な軸線Ｏ２の周りに、例えば金属板からなる解除操作レバー３５が支持ピン３６により回動自在に支持されている。支持ピン３６には、例えば捩りコイルスプリングからなる復帰スプリング３７が巻回されている。この復帰スプリング３７の両端末は、クッションサイドフレーム１１及び解除操作レバー３５にそれぞれ掛止されており、該復帰スプリング３７の付勢力により解除操作レバー３５が所定の回動位置（以下、「ロック操作位置」ともいう）に保持されている。解除操作レバー３５は、ロック操作位置において軸線Ｏ２を中心とする径方向に前方に向かって延出する略弓形のハンドル部３５ａを有するとともに、後方に向かって延出するレバー凸片３５ｂを有する。
【００２６】
伝達レバー３３のレバー凸片３３ａ及び解除操作レバー３５のレバー凸片３５ｂには、例えば金属板からなる略アーム状のリンク３８の両端部がそれぞれ回動自在に支持されている。すなわち、レバー凸片３３ａ及びリンク３８の上端部は、それらを貫通する支持ピン３９により中心線Ｏ１と平行な軸線Ｏ３の周りに回動自在となっている。一方、リンク３８の下端部には、係合凹部としての略直角台形状（異形孔形状）の係合孔３８ａが形成されている。そして、レバー凸片３５ｂ及びリンク３８の下端部は、係合孔３８ａに遊挿されてレバー凸片３５ｂに締結される係合凸部としての支持ピン４１により中心線Ｏ１と平行な軸線Ｏ４の周りに回動自在となっている。
【００２７】
なお、リンク３８の上下方向中間部には、相対的に内側（クッションサイドフレーム１１に近付く側）に変位させる略くの字状の折曲部３８ｂが形成されており、該係合孔３８ａにおいてクッションサイドフレーム１１に近接又は当接する。そして、折曲部３８ｂには、突部としての略円柱状のピン４２が内側に向かって突設されている。このピン４２は、伝達レバー３３の下方でクッションサイドフレーム１１を貫通しており、その先端はリクライニングユニット２０の外周側に到達している。
【００２８】
解除操作レバー３５がロック操作位置にあり、伝達レバー３３がロック状態に相当する回動位置にあるとき、支持ピン４１は係合孔３８ａの相対的に拡開された下端に位置する。従って、解除操作レバー３５を図示時計回りに回動操作すると、支持ピン４１により係合孔３８ａが下方に押圧されるリンク３８が下方に向かって移動する。このとき、伝達レバー３３は、レバー凸片３３ａが下方に引っ張られることで図示時計回りに、即ちリクライニングユニット２０がロック解除状態に切り替わる方向に回動する。リクライニングユニット２０のロック解除状態への切り替わりが完了したときの解除操作レバー３５の回動位置を「ロック解除操作位置」ともいう。
【００２９】
第２ディスク２２には、例えば金属板からなる略環状の保持プレート４５が固着されている。この保持プレート４５は、第２ディスク２２と同心の略円環状の固定部４５ａを有しており、該固定部４５ａにおいて第２ディスク２２に嵌着されている。また、保持プレート４５は、中心線Ｏ１を中心とする所定角度範囲で固定部４５ａから径方向に延出する略扇状のロック解除保持部４５ｂを有する。このロック解除保持部４５ｂの先端は、中心線Ｏ１を中心とする周方向に延びている。
【００３０】
なお、保持プレート４５は、バックサイドフレーム１２よりも外側（クッションサイドフレーム１１側）で第２ディスク２２に固着されることで、クッションサイドフレーム１１との離間距離が縮小されている。特に、ロック解除保持部４５ｂの固定部４５ａとの境界部には、相対的に外側（クッションサイドフレーム１１に近付く側）に変位させるテーパ４５ｃが形成されており、これによりロック解除保持部４５ｂがクッションサイドフレーム１１に近付けられている。
【００３１】
図４に示すように、リクライニングユニット２０がロック解除状態にあるときのリンク３８のピン４２は、中心線Ｏ１を中心とするロック解除保持部４５ｂの回動軌跡に隣接するその外周側に配置されている。従って、クッションサイドフレーム１１に対するバックサイドフレーム１２の図示時計回りの回動（シートバック４の前倒しに相当）に伴い第２ディスク２２と一体回動する保持プレート４５のロック解除保持部４５ｂがピン４２に到達すると、該ピン４２を乗り上げさせてその上方への移動、即ちリクライニングユニット２０がロック状態に切り替わる伝達レバー３３の図示反時計回りの回動を規制する。これにより、リクライニングユニット２０がロック解除状態に保持されることはいうまでもない。つまり、ロック解除保持領域は、ロック解除保持部４５ｂがピン４２に到達したシートバック４の前倒れの範囲に相当する。
【００３２】
次に、本実施形態の作用について説明する。
まず、図３（ａ）に示すように、解除操作レバー３５がロック操作位置にあり、リクライニングユニット２０がロック状態にあるとする。この状態で、解除操作レバー３５を図示時計回りにロック解除操作位置へと回動操作する。このとき、図４への変化で示すように、レバー凸片３５ｂと共に下方に移動する支持ピン４１に係合孔３８ａの押圧されるリンク３８が下方に移動して、レバー凸片３３ａにおいて下方に引っ張られる伝達レバー３３が図示時計回りに回動する。これにより、リクライニングユニット２０がロック解除状態に切り替わる。なお、この状態で解除操作レバー３５を解放すれば、前述のようにリクライニングユニット２０がロック状態に切り替わる（戻る）。つまり、シートバック４の傾斜角度が調整領域にあれば、前述の操作によって当該傾斜角度の調整・保持が可能である。
【００３３】
また、図４から図５への変化で示すように、バックサイドフレーム１２の図示反時計回りの回動（シートバック４の前倒しに相当）に伴い、保持プレート４５のロック解除保持部４５ｂがピン４２に到達すると、該ピン４２を乗り上げさせてその上方への移動、即ちリクライニングユニット２０がロック状態に切り替わる伝達レバー３３の図示反時計回りの回動を規制する。従って、図６への変化で示すように、シートバック４の前倒し位置に相当する回動位置までリクライニングユニット２０がロック解除状態を保持する。この状態は、バックサイドフレーム１２の図示時計回りの回動（シートバック４の後倒しに相当）に伴い、保持プレート４５のロック解除保持部４５ｂがピン４２を通過するまで維持される。
【００３４】
さらに、図６から図７への変化で示すように、係合孔３８ａとの遊びの範囲で支持ピン４１を移動させつつ解除操作レバー３５を図示反時計回りに回動させることで、該解除操作レバー３５がロック操作位置に回動（復帰）する。
【００３５】
以上詳述したように、本実施形態によれば、以下に示す効果が得られるようになる。
（１）本実施形態では、リクライニングユニット２０がロック状態にあるとき、解除操作レバー３５をロック操作位置からロック解除操作位置へと回動させることで、リンク３８及び伝達レバー３３を介してリクライニングユニット２０がロック解除状態へと切り替わる。これにより、シートクッション３に対するシートバック４の回動位置、即ちシートバック４の傾斜角度が調整可能となる。また、このとき、シートクッション３に対するシートバック４の回動位置がロック解除保持領域に到達すると、ロック解除保持部４５ｂがピン４２を乗り上げさせることで、シートバック４の回動に関わらずリンク３８が伝達レバー３３と共にシートクッション３に対する姿勢を維持する。つまり、シートバック４を前倒し状態から起立させても、シートクッション３に対するシートバック４の回動位置がロック解除保持領域にある限り、リクライニングユニット２０はロック解除状態を維持する。このように、リクライニングユニット２０の仕様に依存することなく、保持プレート４５によるロック解除保持領域の設定によってリクライニングユニット２０をロック解除状態に維持させることができ、設計の自由度の向上が可能となる。
【００３６】
例えば等角度間隔に配設された３つのポールを有して調整領域が最大でも１２０°に制限されるリクライニングユニット２０であっても、これに依存することなく当該調整領域から繋がるロック解除保持領域を十分に確保できる。あるいは、ロック解除保持構造（第２ディスク２２に形成される周知のロック解除保持用の環状ガイド等）を含まない簡易なリクライニングユニット２０であっても、保持プレート４５等によってロック解除保持領域を設定できる。換言すれば、基本的にリクライニングユニット２０の仕様に依存することなくロック解除保持領域が設定可能であることで、該リクライニングユニット２０の共通化が可能となり、コストを削減できる。
【００３７】
（２）本実施形態では、保持プレート４５は、第２ディスク２２に直に固着されている。従って、保持プレート４５は、第２ディスク２２（リクライニングユニット２０）に集約配置されることで、装置全体としてよりコンパクト化することができる。
【００３８】
（３）本実施形態では、解除操作レバー３５及びリンク３８の端部は、解除操作レバー３５に突設された支持ピン４１と、リンク３８に形成された係合孔３８ａとで回動自在に支持されている。そして、係合孔３８ａは、解除操作レバー３５のロック解除操作位置への回動に伴いリンク３８及び伝達レバー３３を介してリクライニングユニット２０がロック解除状態へと切り替わるように支持ピン４１に押圧される。あるいは、係合孔３８ａは、リンク３８及び伝達レバー３３と共にリクライニングユニット２０がロック解除状態にあるときに解除操作レバー３５のロック操作位置への回動を許容するように支持ピン４１の移動を許容する。これにより、例えばシートクッション３に対するシートバック４の回動位置がロック解除保持領域にあったとしても、解除操作レバー３５は、係合孔３８ａ内で支持ピン４１を移動させつつ、ロック操作位置への回動が可能である。従って、例えば解除操作レバー３５が外力の影響を受けてロック解除操作位置からロック操作位置に向かって回動したとしても、これに連動してリクライニングユニット２０がロック状態に切り替わることを抑制できる。
【００３９】
（４）本実施形態では、保持プレート４５は、シートの幅方向においてバックサイドフレーム１２よりも第１ディスク２１に近い側で第２ディスク２２に固着されている。従って、保持プレート４５は、バックサイドフレーム１２よりも第１ディスク２１に近い側に配置されることで、装置全体としてよりコンパクト化することができる。また、保持プレート４５は、バックサイドフレーム１２等の固定前のリクライニングユニット２０単体の状態で第２ディスク２２に固着できるため、管理工数をより低減することができる。あるいは、バックサイドフレーム１２は、保持プレート４５の有無に関わらず第２ディスク２２を固着できるため、ロック解除保持領域の設定の有無に応じた仕様の変更をより簡易に行うことができる。
【００４０】
（５）本実施形態では、保持プレート４５は、シートの幅方向において相対的にクッションサイドフレーム１１に近付く側（外側）にロック解除保持部４５ｂを変位させるテーパ４５ｃが形成されている。従って、ロック解除保持部４５ｂへの乗り上げに要するピン４２の突出長を抑制することができる。
【００４１】
（６）本実施形態では、リンク３８は、シートの幅方向において相対的にクッションサイドフレーム１１に近付く側（内側）にピン４２を変位させる折曲部３８ｂを有する。従って、ロック解除保持部への乗り上げに要するピン４２の突出長を抑制することができる。
【００４２】
（７）本実施形態では、保持プレート４５の取付位置を変更することで、調整領域及びロック解除保持領域の境界位置を簡易に変更することができる。あるいは、前方規制片１１ｂ及び規制片１２ｂによって規定される前倒し位置の変更に合わせてロック解除保持部４５ｂの延在範囲を変更することで、ロック解除保持領域を簡易に変更することができる。
【００４３】
（８）本実施形態では、基本的に板物１部品（保持プレート４５）及びピン１個（ピン４２）による構造の小変更で、ロック解除保持機能を追加できる。
なお、上記実施形態は以下のように変更してもよい。
【００４４】
・図８に示すように、ロック解除保持部４５ｂに解除ストローク調整範囲５２を有する保持プレート５１を採用してもよい。この解除ストローク調整範囲５２は、ロック解除保持部４５ｂの中心線Ｏ１を中心とする周方向一側（図示反時計回りの側）端、即ちピン４２の乗り上げの開始点から周方向他側に向かうに従い中心線Ｏ１からの離間距離が漸増するように成形されている。従って、解除ストローク調整範囲５２に乗り上げたピン４２は、解除ストローク調整範囲５２を進行するに従い、リンク３８と共に下方に徐々に移動する。リンク３８の下方への移動に伴うカムの回動により、ポール及び内歯車２２ａの外れ度合い（ポール及び内歯車２２ａ間の径方向の隙間）が増加するように構成されている。つまり、「解除ストローク」とは、ポール及び内歯車２２ａの外れ度合いに相関するカムの回動量を意味する。このように、解除ストローク調整範囲５２に乗り上げたピン４２が解除ストローク調整範囲５２を進行するに従い、解除ストロークが漸増することで、例えば製品ばらつきや組付ばらつきなどでカムが揺動したとしても、リクライニングユニット２０のロック解除状態をより安定的に維持できる。
【００４５】
・前記実施形態において、リクライニングユニット２０の第２ディスク２２及び保持プレート４５は、一体形成されていてもよい。
・前記実施形態において、保持プレート４５は、バックサイドフレーム１２（シートバック４側）に固着されていてもよい。この場合、保持プレート４５は、バックサイドフレーム１２に一体形成されていてもよい。
【００４６】
・前記実施形態において、リンク３８の折曲部３８ｂを省略してもよい。
・前記実施形態において、保持プレート４５のテーパ４５ｃを省略してもよい。
・前記実施形態において、保持プレート４５は、シートの幅方向においてバックサイドフレーム１２よりも内側（第１ディスク２１から遠い側）で第２ディスク２２に固着されてもよい。
【００４７】
・前記実施形態において、リンク３８の係合孔３８ａを省略して、その先端部が解除操作レバー３５に回動のみが可能なように支持されていてもよい。この場合、ロック解除保持領域では、解除操作レバー３５がシートバック４の回動に関わらずリンク３８及び伝達レバー３３と共にシートクッション３（クッションサイドフレーム１１）に対する姿勢（ロック解除操作位置）を維持する。
【００４８】
・前記実施形態において、保持プレート４５は、第２ディスク２２以外のバックサイドフレーム１２（シートバック４側）の適宜箇所に固定されていてもよい。
・前記実施形態においては、クッションサイドフレーム１１に第１ディスク２１、伝達レバー３３、解除操作レバー３５、リンク３８等を配置し、バックサイドフレーム１２に第２ディスク２２、保持プレート４５等を配置したが、それらの配置関係は互いに逆であってもよい。
【００４９】
次に、上記実施形態及び別例から把握できる技術的思想について以下に追記する。
（イ）上記シートリクライニング装置において、
前記保持プレートは、シートの幅方向において相対的に前記クッションサイドフレームに近付く側に前記ロック解除保持部を変位させるテーパが形成された、シートリクライニング装置。
【００５０】
この構成によれば、前記ロック解除保持部への乗り上げに要する前記突部の突出長を抑制することができる。
（ロ）上記シートリクライニング装置において、
前記リンクは、シートの幅方向において相対的に前記クッションサイドフレームに近付く側に前記突部を変位させる折曲部を有した、シートリクライニング装置。
【００５１】
この構成によれば、前記ロック解除保持部への乗り上げに要する前記突部の突出長を抑制することができる。
【符号の説明】
【００５２】
２…シート、３…シートクッション、４…シートバック、１１…クッションサイドフレーム（シートクッション側）、１２…バックサイドフレーム（シートバック側）、２０…リクライニングユニット、２１…第１ディスク（固定部材）、２２…第２ディスク（回動部材）、３３…伝達レバー、３５…解除操作レバー、３８…リンク、３８ａ…係合孔（係合凹部）、４１…支持ピン（係合凸部）、４２…ピン（突部）、４５，５１…保持プレート、４５ｂ…ロック解除保持部、５２…解除ストローク調整範囲。
【図１】
0006558190.tif 000002
【図２】
0006558190.tif 000003
【図３】
0006558190.tif 000004
【図４】
0006558190.tif 000005
【図５】
0006558190.tif 000006
【図６】
0006558190.tif 000007
【図７】
0006558190.tif 000008
【図８】
0006558190.tif 000009